(57)【要約】      （修正有）【課題】巧みなくすぐりと刺激効果を与える遠心式くすぐりマッサージ装置を提供する。【解決手段】主に一つの拡大器及び一つの回転棒で構成する遠心式くすぐりマッサージ装置である。拡大器１は内スペースを具有し、周りは中空状を呈し、挿入部の内径を拡大する。回転棒はパワーによって駆動して回転する棒体２１を具有し、棒体に複数の糸２２を設ける。ユーザーは拡大器を挿入してから、更に棒体を拡大器の中に挿入する。棒体を起動して回転すると、遠心力により糸が振り開き、挿入部をくすぐる及びマッサージを行う。【選択図】図４
0003189678.tif 000002
【実用新案登録請求の範囲】
【請求項１】
膣拡大器及び回転棒を含み、
該膣拡大器は相対する両端に位置する一つの固定リングと一つの固定台を具有し、且つ固定リングと固定台との間周囲に複数の棒部品を連接し、それらの棒部品によって膣拡大器の内スペースを構成し、また、二つの棒部品の間に一つの距離を具有し、該固定リングの内径は、該内スペースに入る開口となり、
該回転棒に一つのパワーモジュール及び該パワーモジュールと接続し、駆動して回転する棒体を含み、該棒体に複数の糸を設け、該糸の長さは膣拡大器の最大半径より長く、該回転棒を該膣拡大器に組合わせて該棒体を該内スペース内に挿入することを特徴とする遠心式くすぐりマッサージ装置。
【請求項２】
前記棒部品は中心部分から離れて拡大する彎曲の形状を形成することを特徴とする請求項１記載の遠心式くすぐりマッサージ装置。
【請求項３】
前記固定リングに少なくとも一つの第一固定構造を設置し、該パワーモジュールに少なくとも一つの第二固定構造を設置することで、該第一固定構造と該第二固定構造が互いに接続して固定することを特徴とする請求項１或いは請求項２記載の遠心式くすぐりマッサージ装置。
【請求項４】
前記第一固定構造はスロット、第二固定構造は該スロットにスライドして進出できる掛合柱を設置することを特徴とする請求項３記載の遠心式くすぐりマッサージ装置。
【請求項５】
前記棒体の端部に一つの凸柱を設置し、前記固定台には該内スペースに向けた端面に該凸柱と組合わせる凹穴を設置することを特徴とする請求項１或いは請求項２記載の遠心式くすぐりマッサージ装置。
【請求項６】
前記パワーモジュールに含まれるのは一つの外ケース及び、該外ケース内に一つのモーターと一つのバッテリーユニットを設け、該バッテリーユニットと該モーターは電気接続し、該モーターは一つの駆動軸によって該棒体と接続することを特徴とする請求項１或いは請求項２記載の遠心式くすぐりマッサージ装置。
【請求項７】
前記糸の端部に玉を設けることを特徴とする請求項１記載の遠心式くすぐりマッサージ装置。
【考案の詳細な説明】
【技術分野】
【０００１】
本考案は女性が使用するアダルトグッズである遠心式くすぐりマッサージ装置に関する。
【背景技術】
【０００２】
性的ニーズは男女問わず正常な生理現象と反応である。配偶者がいない人にとって、如何にして自分の性的ニーズを満たすのか、往々にして口に出しにくく且つ気まずい話題である。しかし、それに目を背けることはできず、正確な方法で不満を解消しなければ、性犯罪などの社会問題へと発展する可能性がある。セックスワーカーの手を借りるのは、配偶者がいない者が性的ニーズを満たす一つの方法であるが、それにかかる費用は大変高く、淋病や梅毒などの性病、或いはエイズの病気に罹る可能性が高いほか、道徳的にも疑問が残る。「自慰」も一つの選択であり、かつて自慰は不正常行為と見なされていたが、セックスに関する知識の普及と提唱に従い、医療ワーカーと性病防止団体によると、自慰は比較的健康且つ衛生的な選択肢であり、お勧めの方法であると。よって、現在では考え方がオープンになるのに連れ、アダルトグッズが次から次へと発売されてきた。配偶者がいる人にとっても、アダルトグッズの使用によって、夫婦生活の雰囲気を高めることができる。
【０００３】
アダルトグッズは大まか男性用と女性用の二種類があり、中でも女性用のグッズは主にマッサージ棒である。目下比較的新しい女性用マッサージ棒はシリコンの材料を使い、男性性器を模倣した造形で感触が皮膚に近いものである。また、マッサージ棒にパワー装置と連動装置を設置し、ユーザーはコントローラーでパワーのオンオフを行い、連動装置の作動により弾力性のある陰茎に似た動きをする。ユーザーはそれを陰部に接触或いは膣に挿入すれば、快感を得られる。マッサージ棒は更に振動器が付いているものもあり、陰茎を模倣したマッサージ棒をユーザーの膣に挿入し、振動器の電源を入れると振動器は同時に膣に振動を加えたマッサージ効果を与えるため、更に使用時の快感と気分を高めることができる。
【０００４】
従来技術の女性用陰茎型のマッサージ棒は、外形が色々と異なるほか、いずれも棒体の作動形態に変化をもたらしている。例えば棒体が一段階或いは数段階の回転、或いはひねる動きをする。棒体の表面に複数の突起ツブを設置することで、膣に挿入した棒体が膣壁に刺激を与えて快感を得る。しかし、このような突起ツブを有する棒体は膣に対して刺激的な効果はあるとしても、更に巧みなくすぐり効果を得ることができず、更なる改善が必要であった。
【先行技術文献】
【特許文献】
【０００５】
【特許文献１】登録実用新案第３１４４４７０号公報
【考案の概要】
【考案が解決しようとする課題】
【０００６】
本考案の目的は、女性の膣に巧みなくすぐりと刺激効果を与えるマッサージ装置を提供することを主な課題とする。
【課題を解決するための手段】
【０００７】
前記課題を解決するために、本考案は遠心式くすぐりマッサージ装置の構造を提供するものである。本考案に含まれるのは一つの膣拡大器及び一つの回転棒である。該膣拡大器は内スペースを具有し、周りは中空状を呈し、女性の膣内に挿入してから膣内径を拡大する。前記回転棒はパワーによって駆動して回転する棒体を具有し、該棒体に複数の糸を設ける。ユーザーは膣拡大器を女性の膣内に挿入してから、更に棒体を膣拡大器の中に挿入する。棒体を起動して回転すると、遠心力により糸を振り開き、回転するのに従って、該糸が膣内壁をくすぐる及びマッサージを行う。
【０００８】
本考案の膣拡大器についての技術手段は、相対する両端に位置する一つの固定リングと一つの固定台を具有し、且つ固定リングと固定台との間周囲に複数の棒部品を連接し、それらの棒部品によって膣拡大器の内スペースを構成する。また、二つの棒部品の間に一つの距離を具有し、該固定リングの内径は、該内スペースに入る開口となる。該膣拡大器を膣内に挿入するとき、膣は弾力性を具有するため、膣内壁を外側の方向に広げて内径を拡大することができる。
【０００９】
本考案の回転棒についての技術手段は、一つのパワーモジュール及び該パワーモジュールと接続し、駆動して回転する棒体を含む。該棒体に複数の糸を設け、該糸の長さは膣拡大器の最大半径より長くする。該棒体を膣拡大器の内スペースに挿入することができ、パワーモジュールを起動して棒体が回転する際、遠心力を使って糸を振り開いて回転すると、糸が膣内壁に対してくすぐる及びマッサージを行う。
【００１０】
膣拡大器が簡単に膣内に挿入でき、及び良い膣拡大効果を得るために、本考案の膣拡大器の棒部品は中心部分から離れて拡大する彎曲の形状を形成し、その彎曲する棒部品によって膣内壁が外側に向かって拡張する。
【００１１】
回転棒の棒体が膣拡大器に挿入したあとに、より良い組み合わせとなって操作しやすいために、本考案は膣拡大器の固定リングに少なくとも一つの第一固定構造を設置し、回転棒のパワーモジュールに少なくとも一つの第二固定構造を設置することで、該第一固定構造と該第二固定構造が互いに接続して固定するため、回転棒が膣に相対して過大に揺れ動くのを防ぐことができる。
【００１２】
本考案の回転棒を膣拡大器に固定して揺れ動かないようにするには、膣拡大器の固定リングにスロットを設置し、該回転棒のパワーモジュールの外ケースには該スロットにスライドして進出できる掛合柱を設置し、該掛合柱を該スロットにスライドしてから一つの角度を適切に回転すると固定できる。
【００１３】
膣拡大器に挿入した回転棒の棒体が更に安定するために、本考案は更に棒体の端部に一つの凸柱を設置することができる。膣拡大器の固定台には該内スペースに向けた端面に該凸柱と組合わせる凹穴を設置することで、該棒体を膣拡大器に挿入したあと、該凸柱が凹穴と定位するため、該凸柱は凹穴内で棒体に従って回転することができる。
【００１４】
本考案が回転棒に設けるパワーモジュールに含まれるのは一つの外ケース及び、該外ケース内に互いに電気接続する一つのモーターと一つのバッテリーユニットを設置し、該モーターは一つの駆動軸によって該棒体と接続する。
【００１５】
本考案が棒体に設ける糸は、更に端部に一つの玉、或いはその他の物体を設置することができる。
【考案の効果】
【００１６】
本考案は膣拡大器及び回転棒を設置し、膣拡大器を女性の膣内に挿入してから、更に棒体を膣拡大器の中に挿入する。棒体を起動して回転すると、遠心力により糸を振り開き、回転するのに従って、該糸が膣内壁をくすぐる及びマッサージを行うことができる。
【図面の簡単な説明】
【００１７】
【図１】本考案の第一実施例の主な部品構造及び組合せ関係を示す立体分解図である。
【図２】本考案の第一実施例の主な部品構造及び組合せ関係を示す平面断面分解図である。
【図３】本考案の第一実施例の回転棒を膣拡大器に組合わせた後の状態の平面略図である。
【図４】本考案の第一実施例の回転棒を膣拡大器に組合わせた後に回転する際、遠心力を使って糸を振り放つ平面略図である。
【図５】本考案の第二実施例の回転棒を膣拡大器に組合わせた後の平面図である。
【考案を実施するための形態】
【００１８】
以下、本考案の構造と特徴および効果を、最良実施例と図面を参照しながら詳細に説明する。
【実施例】
【００１９】
図１に示すのは、本考案の遠心式くすぐりマッサージ装置である。第一実施例に含まれるのは一つの膣拡大器１及び一つの回転棒２である。該膣拡大器１の最良実施例として、相対する両端に一つの固定リング１１と一つの固定台１２を設置し、且つ固定リング１１と固定台１２との間周囲に複数の棒部品１３を連接し、それらの棒部品１３によって膣拡大器１の内スペースを構成する。また、二つの棒部品１３の間に一つの距離を具有し、それによって当該膣拡大器１の周りが中空形態を形成する。該固定リング１１の内径は、該内スペースに入る開口１１０となる。該膣拡大器１は女性の膣内部に挿入するものであり、それを使って膣の内径を拡大する器具である。挿入する過程において、膣内壁にダメージを与えてはならない。よって、固定リング１１と固定台１２、棒部品１３の外表面はいずれも平滑で角がないものであるべきである。棒部品１３は丸い棒を使用することもでき、ベストである。
【００２０】
この膣拡大器１を使うのは、膣内壁を拡大する目的であり、前記回転棒２を膣内に入れて更に膣壁をくすぐる。膣拡大器１が簡単に膣内に挿入できるよう、及びスムーズに膣を拡大する効果が得られるよう、本考案の膣拡大器１の棒部品１３の成型は、中心から離れた方向に彎曲状態に拡大するものとすることで(或いは直径方向に外側に彎曲状態に拡大する)、各棒部品１３は共に図１に示すオリーブ状を構成する。このオリーブの形により、固定台１２の一端は比較的小さい外径を具有し、且つ固定台１２から固定リング１１の方向に向かって中央部分まで次第に直径を拡大し、更に固定リング１１まで次第に直径を縮小する。よって、膣に挿入した後、このような彎曲する棒部品１３により、膣内壁を広げることができる。
【００２１】
本考案の回転棒２の最良実施例として、一つのパワーモジュール２３及び該パワーモジュール２３と接続し、駆動して回転する棒体２１を含む。同様に、該棒体２１は膣に挿入する部品であるため、表面は滑らかな形状であるべきであり、シリコン材料を使うのはベストである。棒体２１の表面に複数の糸２２を植え、糸２２はナイロン或いは如何なる防水材料を使用することができ、抗菌処理をしたものがベストである。該糸２２の長さは膣拡大器１の最大半径より長くすることで、糸２２を膣拡大器１の内スペースから二本の棒部品１３の間から突出することができる。
【００２２】
該パワーモジュール２３に含まれるのは一つの外ケース２３１及び外ケース内に設けるモーター２３３及びバッテリーユニット２３４である。該モーター２３３とバッテリーユニット２３４は互いに電気接続し、モーター２３３の駆動軸２３３１は棒体２１の一端に接続する。最良実施例として、駆動軸２３３１を棒体２１の一端に適切な深さまで挿入することで、安定してぐらつかない。外ケース２３１は手の平で握りやすく、人体工学の形状に見合った形とし、表面に該バッテリーユニット２３４と電気接続するスイッチユニット２３５を設置することで、ユーザーは該スイッチユニット２３５を操作してモーター２３３のオンオフをコントロールできる。図３に示すように、該棒体２１は既に膣内に挿入した膣拡大器１の開口から内スペースに挿入してから、パワーモジュール２３を起動して棒体２１を回転することができる。図４に示すように、遠心力を使って糸２２を振り開いて回転し、膣内壁にくすぐりとマッサージを行うことができる。図５に示すように、本考案は更に糸２２の端部分に一つの玉２２１或いはその他の膣内壁を傷つけない物体を固定することができる。
【００２３】
回転棒２の棒体２１が膣拡大器１に挿入したあとに、より良い組み合わせとなって操作しやすいために、本考案は膣拡大器１の固定リング１１に少なくとも一つの第一固定構造を設置し、回転棒２のパワーモジュール２３に少なくとも一つの第二固定構造を設置することで、棒体２１を膣拡大器１の内スペースに挿入した後、更に第一固定構造と該第二固定構造が互いに接続して固定するため、回転棒が膣に相対して過大に揺れ動くのを防ぐことができる。更に図１及び図２に示すように、該第一構造は膣拡大器１の固定リング１１に例えばＬ字型のスロット１１１を設置し、該回転棒２のパワーモジュール２３の外ケース２３１には該スロット１１１にスライドして進出できる掛合柱２３２を設置し、該掛合柱２３２を該スロット１１１にスライドしてから一つの角度を適切に回転すると固定できる。この他、本考案は更に棒体２１の端部に一つの凸柱２１１を設置することができ、一方膣拡大器１の固定台１２には該内スペースに向けた端面に該凸柱２１１と組合わせる凹穴１２１を設置することで、該棒体２１を膣拡大器１に挿入したあと、該凸柱２１１が凹穴１２１と定位するため、該凸柱２１１は凹穴１２１内で棒体２１に従って回転することができる。
【００２４】
前記のマッサージ装置により、ユーザーは膣拡大器１を膣内に挿入したあと、元々閉じている膣を広げて一つのスペースを作ってから、回転棒２の棒体２１を膣拡大器１の内スペースに挿入し、パワーモジュール２３のモーター２３３を起動する。それにより棒体２１が回転し、回転中の棒体２１は遠心力が生じて糸２２を振り開いて回転し、回転中の糸２２は端部が二本の棒部品１３の間から伸びて膣内壁と摩擦し、膣をくすぐる及びマッサージする効果を得る。
【００２５】
以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。
【符号の説明】
【００２６】
１  膣拡大器
１１  固定リング
１１０  開口
１１１  スロット
１２  固定台
１２１  穴
１３  棒部品
２  回転棒
２１  棒体
２１１  凸柱
２２  糸      
２２１  玉
２３パワーモジュール
２３１  外ケース
２３２  掛合柱
２３３  モーター
２３３１  駆動軸
２３４  バッテリーユニット
２３５  スイッチユニット
【図１】
0003189678.tif 000003
【図２】
0003189678.tif 000004
【図３】
0003189678.tif 000005
【図４】
0003189678.tif 000006
【図５】
0003189678.tif 000007